(57)【特許請求の範囲】
【請求項１】
複数のパーソナルコンピュータと通信回線を介して接続された画像入力装置において、
複数の原稿の画像を読み取って画像データを入力する画像入力部と、
この画像入力部で画像データが入力される原稿の向きを指示するべく、内蔵されたタッチパネルにおいて、
前記複数の原稿の１頁目を第１方向とし、２頁目以降の原稿の全てを前記第１方向とは垂直の第２方向とするべく指示するための第１アイコンと、
前記複数の原稿の１頁目を前記第２方向とし、２頁目以降の原稿の全てを前記第１方向とするべく指示するための第２アイコンを表示する表示部と、
前記表示部の第１アイコンが選択されたことを検知すると前記入力された画像データのうち前記複数の原稿の画像データの１頁目を前記第１方向とし、２頁目以降の原稿の全てを前記第２方向とするべく前記画像データに回転処理を施して出力し、
前記表示部の第２アイコンが選択されたことを検知すると前記入力された画像データのうち前記複数の原稿の画像データの１頁目を前記第２方向とし、２頁目以降の原稿の全てを前記第１方向とするべく前記画像データに回転処理を施して出力する画像回転部とを具備することを特徴とする画像入力装置。
【請求項２】
前記第１方向がランドスケープであり、前記第２方向がポートレートであることを特徴とする請求項１記載の画像入力装置。
【請求項３】
前記第１方向がポートレートであり、前記第２方向がランドスケープであることを特徴とする請求項１記載の画像入力装置。
【請求項４】
前記表示部は、前記内蔵されたタッチパネルにおいて、前記複数の原稿の全ての頁を前記第１方向とするべく指示するための第３アイコンと、前記複数の原稿の全ての頁を前記第２方向とするべく指示するための第４アイコンを更に表示することを特徴とする請求項１記載の画像入力装置。
【請求項５】
複数のパーソナルコンピュータと通信回線を介して接続された画像入力装置において、
複数の原稿の画像を読み取って画像データを入力する画像入力部と、
この画像入力部で画像データが入力される原稿の向きを指示するべく、内蔵されたタッチパネルにおいて、
前記複数の原稿の最後の１頁目を第１方向とし、前記最後の１頁目以外の原稿の全てを前記第１方向とは垂直の第２方向とするべく指示するための第１アイコンと、
前記複数の原稿の最後の１頁目を前記第２方向とし、前記最後の１頁目以外の原稿の全てを前記第１方向とするべく指示するための第２アイコンを表示する表示部と、
前記表示部の第１アイコンが選択されたことを検知すると前記入力された画像データのうち前記複数の原稿の画像データの最後の１頁目を前記第１方向とし、前記最後の１頁目以外の原稿の全てを前記第２方向とするべく前記画像データに回転処理を施して出力し、
前記表示部の第２アイコンが選択されたことを検知すると前記入力された画像データのうち前記複数の原稿の画像データの最後の１頁目を前記第２方向とし、前記最後の１頁目以外の原稿の全てを前記第１方向とするべく前記画像データに回転処理を施して出力する画像回転部とを具備することを特徴とする画像入力装置。
【請求項６】
前記第１方向がランドスケープであり、前記第２方向がポートレートであることを特徴とする請求項５記載の画像入力装置。
【請求項７】
前記第１方向がポートレートであり、前記第２方向がランドスケープであることを特徴とする請求項５記載の画像入力装置。
【請求項８】
前記表示部は、前記内蔵されたタッチパネルにおいて、前記複数の原稿の全ての頁を前記第１方向とするべく指示するための第３アイコンと、前記複数の原稿の全ての頁を前記第２方向とするべく指示するための第４アイコンを更に表示することを特徴とする請求項５記載の画像入力装置。
【発明の詳細な説明】
【０００１】
【発明の属する技術分野】
この発明は、たとえば複数のパーソナルコンピュータと通信回線を介して接続されるデジタル複写機等の原稿を読み取って画像データを入力する画像入力装置に関する。
【０００２】
【従来の技術】
従来のパーソナルコンピュータに接続されるスキャナでは、原稿をセットする向きが予め定められている。もし、定められた向き以外の向きで原稿をスキャンした場合は、スキャン後に得られた画像をパーソナルコンピュータ上の画像編集ソフトなどを用いて回転させることにより求めて原稿に正対した画像データを得ている。
【０００３】
ところで、デジタル複写機をスキャナとしても利用できるようにすると、操作上は複写機と同じ操作感覚を求められるが、スキャナとは違い複写機では、通常、原稿の向きを意識して原稿を入力しない。このため、正対した向きで画像データを得ることが難しく、画像の向きを確認・修正するために別途パーソナルコンピュータが必要となる。つまり、パーソナルコンピュータ上で表示するまでは、正しい向きか否かが分からない。
【０００４】
また、デジタル複写機をスキャナとして利用する楊合は、共有のネットワークスキャナとして利用することになる。この場合、ユーザが画像を加工するパーソナルコンピュータと物理的な距離が離れて利用されることが多い。しかし、デジタル複写機では、通常、画像を表示できる手段は備えられていない。このため、向きが正しい画像データを得るために大きなコストがかかることになる。
【０００５】
さらに、デジタル複写機をスキャナとして利用する場合は、複写機の設置場所まできてスキャンした後、スキャン画像を処理するために離れた位置にあるパーソナルコンピュータに戻るコストを削減するため、簡単な処理であれば複写機上で処理できる発明が数多く為されている。
【０００６】
また、高精細で大きな画像データを回転させる処理においては、非常に大きな領域と処理能力を必要とするため、安価に高速な回転処理を提供することは難しい。このため、画像ごとに回転処理を行った後に保存すると、画像の入力速度は回転処理能力に依存し、非常に低速にしか画像を入力できない。
【０００７】
【発明が解決しようとする課題】
上記したように、デジタル複写機をスキャナとして利用した場合、スキャナとは違い複写機では、通常、原稿の向きを意識して原稿を入力しないので、正対した向きで画像データを得ることが難しく、画像の向きを確認・修正するために別途パーソナルコンピュータ上で表示するまでは、正しい向きか否かが分からず、正しい向きの画像データを得るために大きなコストがかかるという問題があった。
【０００８】
また、高精細で大きな画像データを回転させる処理においては、非常に大きな領域と処理能力を必要とするため、安価に高速な回転処理を提供することは難しく、画像ごとに回転処理を行った後に保存すると画像の入力速度が回転処理能力に依存され、非常に低速にしか画像を入力できないという問題があった。
【０００９】
そこで、この発明は、原稿の向きを明示的に指示でき、容易に混乱することなく正しい向きの画像データを得ることのできる画像入力装置を提供することを目的とする。
【００１０】
また、この発明は、安価で高速な回転処理を伴う画像入力を行うことのできる画像入力装置を提供することを目的とする。
【００１１】
【課題を解決するための手段】
課題を解決するための一実施形態は、
複数のパーソナルコンピュータと通信回線を介して接続された画像入力装置において、
複数の原稿の画像を読み取って画像データを入力する画像入力部と、
この画像入力部で画像データが入力される原稿の向きを指示するべく、内蔵されたタッチパネルにおいて、
前記複数の原稿の１頁目を第１方向とし、２頁目以降の原稿の全てを前記第１方向とは垂直の第２方向とするべく指示するための第１アイコンと、
前記複数の原稿の１頁目を前記第２方向とし、２頁目以降の原稿の全てを前記第１方向とするべく指示するための第２アイコンを表示する表示部と、
前記表示部の第１アイコンが選択されたことを検知すると前記入力された画像データのうち前記複数の原稿の画像データの１頁目を前記第１方向とし、２頁目以降の原稿の全てを前記第２方向とするべく前記画像データに回転処理を施して出力し、
前記表示部の第２アイコンが選択されたことを検知すると前記入力された画像データのうち前記複数の原稿の画像データの１頁目を前記第２方向とし、２頁目以降の原稿の全てを前記第１方向とするべく前記画像データに回転処理を施して出力する画像回転部とを具備することを特徴とする画像入力装置である。
【００２１】
【発明の実施の形態】
以下、この発明の一実施の形態について図面を参照して説明する。
【００２２】
図１は、この発明の第１実施例に係る画像入力装置の概略構成を示すものである。すなわち、デジタル複写機等の画像入力装置１は、ネットワーク２を介して複数のパーソナルコンピュータ３，…と接続されている。
【００２３】
画像入力装置１は、原稿の画像を読み取って画像を入力する画像入力部１１、表示される操作キーの押下位置を検知するタッチパネルが内蔵された表示部１２を有して各種操作を指示・入力する操作パネル１３、ネットワーク２に接続するネットワーク接続部１４、入力された画像データを回転処理する画像回転部１５、画像データを格納する記憶部１６、及びこれらを制御する制御部１０とから構成されている。
【００２４】
ユーザが画像入力を行う場合は、原稿を画像入力部１１にセットし、操作パネル１３を操作し、画像入力のパラメータを設定して画像入力を指示する。制御部１０は、操作パネル１３よりユーザの入力指示を受け取り、画像入力部１１に読み取りパラメータを設定して画像入力を行う。ユーザが画像の回転を指示した揚合は、画像回転部１５で入力画像を回転して記憶部１６に入力画像を格納する。
【００２５】
ユーザが画像を利用する場合、制御部１０は、ネットワーク２を介したパーソナルコンピュータ３からの指示により記憶部１６より画像を取り出し、ネットワーク接続部１４、ネットワーク２を介して当該パーソナルコンピュータ３に画像データを送出する。
【００２６】
図２は、ユーザに提示する操作パネル１３における表示部１２の表示例である。ページ毎に原稿方向指示アイコン１２ａが有り、これを操作することによりページ毎の画像回転方向を指示することができる。
【００２７】
図３は、ユーザに提示する操作パネル１３における表示部１２の表示例である。原稿方向アイコン１２ｂ，ｃを操作することにより、一度にすべてのページの回転方向を指示することができる。
【００２８】
図４は、ユーザに提示する操作パネル１３における表示部１２の表示例である。ユーザは下段左側のアイコン１２ｄを選択することで最初のページだけがランドスケープであり、２ページ目以降のページがポートレートの原稿方向であることを指示できる。また、ユーザが下段右側のアイコン１２ｅを選択することで最初のページだけがポートレートであり、２ページ目以降のページがランドスケープの原稿方向であることを指示できる。
【００２９】
図５は、ユーザに提示する操作パネル１３における表示部１２の表示例である。ユーザは下段左側のアイコン１２ｆを選択することで最後のページだけがランドスケープであり、それ以外のページがポートレートの原稿方向であることが指示できる。また、ユーザが下段右側のアイコン１２ｇを選択することで最後のページだけがポートレートであり、それ以外のページがランドスケープの原稿方向であることが指示できる。
【００３０】
図６は、この発明の第２実施例に係る画像入力装置の概略構成を示すものである。この画像入力装置２０は、第１実施例の画像入力装置１に一時記憶部１７を設けたものである。他の構成は、第１実施例と同様であるので同一符号を付して説明を省略する。なお、一時記憶部１７は、記憶部１６と概念的に異なるだけで、物理的に記憶部１６の一部を利用することは可能である。
【００３１】
次に、第２実施例の画像入力動作を図７のフローチャートを参照して説明する。
【００３２】
まず、操作パネル１３より回転を伴った画像入力が指示された際、制御部１０は、画像入力部１１より原稿の画像を入力し、回転前の画像データを取得し（ＳＴ１）、操作パネル１３より指示された回転パラメータとともに一時記憶部１７に格納する（ＳＴ２）。そして、デジタル複写機１の図示しない自動原稿送り装置やユーザ指示などによりスキャンの次頁が続くまで画像入力が繰り返される（ＳＴ３）。
【００３３】
画像入力がすべて終了した際、制御部１０は、回転処理に取りかかり、一時記憶部１７から１ページ分だけの画像データとその回転パラメータをセットとして読み出す（ＳＴ４）。制御部１０は、読み出した画像データと回転パラメータとを用いて画像回転部１５で画像データの回転を行い（ＳＴ５）、その結果としての画像データを記憶部１６に格納する（ＳＴ６）。そして、制御部１０は、これをページ数分繰り返す（ＳＴ７）。
【００３４】
また、第２実施例の他の画像入力動作を図８、図９のフローチャートを参照して説明する。
【００３５】
まず、図８を参照して画像入力時について説明する。
【００３６】
操作パネル１３より画像回転を伴った画像入力が指示された際、制御部１０は、画像入力部１１より原稿の画像を入力し、回転前の画像データを取得し（ＳＴ１１）、操作パネル１３より指示された回転パラメータとともに一時記憶部１７に格納する（ＳＴ１２）。そして、デジタル複写機１の図示しない自動原稿送り装置やユーザ指示などによりスキャンの次頁が続く（頁終了）まで画像入力が繰り返される（ＳＴ１３）。
【００３７】
続いて、図９を参照して画像出力時について説明する。
【００３８】
パーソナルコンピュータ３より画像データの取得要求が行われた場合、制御部１０は、要求された画像データを検索し（ＳＴ２１）、記憶部１６に有ればその画像データをネットワーク接続部１４に渡し、ネットワーク２を介して当該パーソナルコンピュータ３に送信して終了する（ＳＴ２２，２３）。また、制御部１０は、記憶部１６に無く（ＳＴ２２）、一時記憶部１７にも無い場合にエラーを操作パネル１３の表示部１２から報告する（ＳＴ２４，３０）。
【００３９】
そして、制御部１０は、要求された画像データが記億部１６には無いが一時記憶部１７に有る場合（ＳＴ２４）、一時記憶部１７より１ページ分だけの画像データとその回転パラメータをセットとして読み出す（ＳＴ２５）。制御部１０は、読み出した画像データと回転パラメータとを用いて画像回転部１５で画像データの回転を行い（ＳＴ２６）、その結果としての画像データを記憶部１６に格納する（ＳＴ２７）。さらに、制御部１０は、記憶部１６に格納した画像データをネットワーク接続部１４に渡し、ネットワーク２を介して当該パーソナルコンピュータ３に送信する（ＳＴ２８）。そして、制御部１０は、これをページ数分繰り返す（ＳＴ２９）。
【００４０】
以上説明したように上記発明の実施の形態によれば、操作パネル上で原稿の向きを明示的に指示できることにより、容易にしかも混乱することなく原稿に正対したスキャン画像データを得ることができる。これにより、画像入力装置上でスキャナに関する処理を完結させることができ、パーソナルコンピュータ上で画像処理するユーザの操作コストを削減できる。
【００４１】
また、画像入力能力より画像回転処理能力が劣る場合において、画像入力装置の画像回転処理能力ではなく、画像入力能力で画像を入力することができる。
【００４２】
また、連続的にスキャンする場合においても、画像入力装置の画像回転処理能力ではなく画像入力能力で画像を入力することができる。
【００４３】
【発明の効果】
以上詳述したようにこの発明によれば、原稿の向きを明示的に指示でき、容易に混乱することなく正しい向きの画像データを得ることのできる画像入力装置を提供することができる。
【００４４】
また、この発明によれば、安価で高速な回転処理を伴う画像入力を行うことのできる画像入力装置を提供することができる。
【図面の簡単な説明】
【図１】この発明の第１実施例に係る画像入力装置の概略構成を示すブロック図。
【図２】操作パネルにおける表示部の表示例を示す図。
【図３】操作パネルにおける表示部の表示例を示す図。
【図４】操作パネルにおける表示部の表示例を示す図。
【図５】操作パネルにおける表示部の表示例を示す図。
【図６】この発明の第２実施例に係る画像入力装置の概略構成を示すブロック図。
【図７】第２実施例の画像入力動作を説明するためのフローチャート。
【図８】第２実施例の画像入力動作を説明するためのフローチャート。
【図９】第２実施例の画像入力動作を説明するためのフローチャート。
【符号の説明】
１…画像入力装置
２…ネットワーク（通信回線）
３…パーソナルコンピュータ
１０…制御部（制御手段）
１１…画像入力部（画像入力手段）
１２…表示部（指示手段）
１３…操作パネル
１４…ネットワーク接続部
１５…画像回転部
１６…記憶部（記憶手段）
１７…一時記憶部（一時記憶手段）
【図１】
0004189084.tif 000002
【図２】
0004189084.tif 000003
【図３】
0004189084.tif 000004
【図４】
0004189084.tif 000005
【図５】
0004189084.tif 000006
【図６】
0004189084.tif 000007
【図７】
0004189084.tif 000008
【図８】
0004189084.tif 000009
【図９】
0004189084.tif 000010